(57)【特許請求の範囲】
【請求項１】
駆動装置（２）と、この駆動装置（２）によって駆動可能な機械（13）とを備えた装置（１）であって、駆動装置（２）がガス室（３）を備え、このガス室内に板（４）が可動に配置され、駆動装置が更に、ガス室（３）のガスを加熱するために板の一方の側に加熱器（５）を備え、ガス室（３）のガスを冷却するために板の他方の側に冷却器（８）を備え、そしてガスの熱を一時的に貯蔵するために再生器（11）を備えている、装置において、機械（13）を駆動しないで板（４）を動かすことができるように、補助駆動装置（14）が設けられていることを特徴とする装置。
【請求項２】
ガスが板（４）を通過することができ、再生器（11）が板（４）に連結されていることを特徴とする請求項１記載の装置。
【請求項３】
冷却器（８）が板（４）と反対の側に設けられ、かつ板（４）のプロフィル（10）に係合可能なプロフィル（９）を有することを特徴とする請求項２記載の装置。
【請求項４】
板（４）が実質的に空気を通さず、特に軽量で断熱性があり、ガス室（３′）が板（４′）の両側に穴を一つずつ有し、この穴が再生器（11′）に接続していることを特徴とする請求項１記載の装置。
【請求項５】
冷却器（８）がガス室内に設けられた水面（17）を有することを特徴とする請求項１〜４のいずれか一つに記載の装置。
【請求項６】
冷却器（８）の少なくとも一部が板（４′）に連結されていることを特徴とする請求項１〜５のいずれか一つに記載の装置。
【請求項７】
板（４）に連結された冷却器（８）の部分が、水で湿らすことができる面（18）を備えていることを特徴とする請求項６記載の装置。
【請求項８】
加熱器（５）がほぼ垂直な軸線（24）回りに回転可能な偏心的な放物面鏡部分（12）と、内部が鏡状の可動の漏斗（23）を備えていることを特徴とする請求項１〜７のいずれか一つに記載の装置。
【請求項９】
補助駆動装置（14′）が流体圧力を力に変換する変換器（35）を備え、この変換器（35）が制御弁（31）を介してガス室（３）に接続された流体入口を備えていることを特徴とする請求項１〜８のいずれか一つに記載の装置。
【請求項１０】
制御弁（31′）がルーズ継手要素（38）を介して変換器（35）に連結されていることを特徴とする請求項９記載の装置。
【請求項１１】
変換器（35）が死点係止装置（39）を備えていることを特徴とする請求項９または10記載の装置。
【請求項１２】
ガス室（３）と制御弁（31）の間に、逆止弁（26）を備えた特に等圧の流体貯蔵器（27）が配置されていることを特徴とする請求項９〜11のいずれか一つに記載の装置。
【請求項１３】
ガス室（３）と制御弁（31）の間に絞り（30）が設けられていることを特徴とする請求項９〜12のいずれか一つに記載の装置。
【請求項１４】
変換器（35）が低圧貯蔵器を介してガス室（３）に接続された流体出口（45,46;45′,46′）を備えていることを特徴とする請求項９〜13のいずれか一つに記載の装置。
【請求項１５】
機械（13）がそれと補助駆動装置（14）との間の機械的な伝動装置を用いないで補助駆動装置（14）によって制御されることを特徴とする請求項１〜14のいずれか一つに記載の装置。
【請求項１６】
機械（13）が作動ピストンを備え、この作動ピストンに接続された液面（17）がガス室内に設けられていることを特徴とする請求項１〜15のいずれか一つに記載の装置。
【請求項１７】
機械（13）が特に良好に絶縁された第２のガス室（44）を備え、このガス室内に第２の板（40）が可動に配置され、機械が更に、板（40）の各々の側に配置された２個の熱交換器（42,43）と、第２の再生器（41）を備えていることを特徴とする請求項１〜16のいずれか一つに記載の装置。
【請求項１８】
機械（13）が第２の補助駆動装置（52）を備え、この第２の補助駆動装置が駆動装置の補助駆動装置に機械的にまたは空気圧的に連結されていることを特徴とする請求項17記載の装置。
【請求項１９】
請求項１〜18のいずれか一つに記載の駆動装置（２）を運転するための方法において、ガスの膨張または圧縮の際に発生する正圧または負圧の一部が板（４）を動かすために使用されることを特徴とする方法。
【請求項２０】
膨張時にガス室（３）から取り出されたガスが放出され、圧縮時に同じガス量が再び入れられることを特徴とする請求項19記載の方法。
【請求項２１】
膨張時にのみ機械（13）が駆動されることを特徴とする請求項19または20記載の方法。
【請求項２２】
Ｐ−Ｖ線図で２つの等容線（55,56）と２つの等圧線（57,58）を有するサイクルが生じるように、機械に作用する力が定められ、およびまたは弁が制御されることを特徴とする請求項19〜21のいずれか一つに記載の方法。
【請求項２３】
板（４）の運動によってガス室（３）内に発生する圧力変動が、可動の第２の板（40）を内蔵する特に良好に絶縁されたガス室（44）と、それぞれ板（40）の一方の側に配置された２個の熱交換器（42,43）とに供給され、２個の熱交換器（42,43）内に第２の再生器（41）によって熱と低温が生じることを特徴とする請求項19〜22のいずれか一つに記載の方法。
【請求項２４】
第２の板（40）が第１の板（４）に対して位相がずれるよう動かされることを特徴とする請求項23記載の方法。
【請求項２５】
板（4,4′,4″,40）が室内で並進運動、回転運動または傾動振動することを特徴とする請求項19〜24のいずれか一つに記載の方法。
【発明の詳細な説明】
本発明は、請求項１の上位概念記載の特徴を有する駆動装置を備えた装置と、この駆動装置を運転するための方法に関する。
この種の装置は例えばドイツ連邦共和国特許出願公開第4109289号公報によって知られている。この装置によって発生したガス圧変動は特に、ウォータポンプ、機械式ピストンおよび冷凍機を駆動するためおよび発電用に利用される。このような装置は、駆動装置を動かしかつ動かし続けるために、クランク軸と特に重いフライホイールを必要とするという欠点がある。従って、装置を始動するために、大きな力が必要である。
本発明の根底をなす課題は、容易に始動することができる、冒頭に述べた装置と、装置を自動的に動かすことができる方法を開発することである。
この課題は、装置の場合には請求項１記載の特徴によって、方法の場合には請求項19記載の特徴によって解決される。
本発明は、機械と駆動装置の機械的な連結部の連結解除が補助駆動装置を必要とし、それによって機械の始動が大幅に容易になるという認識に基づいている。
装置がフライホイール、クランク軸およびその他の機械的中間貯蔵器を必要としないので、装置を非常に軽量に形成することができる。スタート時に、板だけを動かせばよく、板を軽量に形成することができるので、板を動かすために大きな慣性力に打ち勝つ必要がない。
機械と補助駆動装置の連結解除により、広い範囲で可変の任意の運動を、補助駆動装置を備えた装置に加えることができる。更に、駆動装置と異なるタクト周波数で機械を運転することができる。
装置全体は摩耗の小さな少ない部品で構成することができ、更に、装置全体を気密に形成可能である。
有利な実施形では、ガスが板を通過することができ、再生器が板に連結されている。これにより、非常にコンパクトな構造となり、再生器はガス室内に保護されて配置されている。
この実施形の場合に、再生器に連結された板の重量を低減するために、冷却器が板と反対の側に設けられ、かつ板のプロフィルに係合可能なプロフィルを有すると有利である。互いに係合するプロフィルは、冷却器から板への熱伝導を良好にする。なぜなら、プロフィル範囲に生じる空気の乱流が熱伝導を良好にするからである。
他の実施形では、板が実質的に空気を通さず、特に軽量で断熱性があり、ガス室が板の両側に穴を一つずつ有し、この穴が再生器に接続している。再生器と板の連結解除により、板の重量が一層低減され、それによって補助駆動装置によって加えるべき力が小さくなる。板はガス室内でシールされて案内される。しかし、板とガス室壁の間の隙間損失を無視できるほど、再生器内の圧力損失が小さいと有利である。なぜなら、シールを省略することができるからである。
冷却器がガス室内に設けられた水面を有すると有利である。それによって、設備の構造が簡単になり、最高効率の冷却が達成される。水面は露出した水面でもよいが、膜によって覆ってもよい。
冷却器から板への熱伝導損失をできるだけ少なくするために、冷却器の少なくとも一部が板に連結されていると有利である。
この場合、本発明に従い、板に連結された冷却器の部分が、水で湿らすことができる面、例えばフィルタを備えていると有利である。これにより、簡単な構造で良好な熱伝導が達成される。
加熱器は好ましくは、垂直な軸線回りに回転可能な偏心的な放物面鏡部分と、内部が鏡状の可動の漏斗を備えている。この装置は太陽光線を集中させるために役立ち、ほとんどの場合、太陽光線の比較的にわずかな固定集中しか必要としないので、本発明では、駆動装置の上側縁部の周りに適当な形状の内部が鏡状の漏斗を取付けることにより、そうでない場合に必要な季節毎の仰角調節を省略することができる。
非常に有利な実施形では、補助駆動装置が流体圧力を力に変換する変換器を備え、この変換器が制御弁を介してガス室に接続された流体入口を備えている。この実施形は、装置の自動スタートを簡単に可能にする。なぜなら、この実施形により、加熱時にガス室内に生じる圧力のほんの一部だけを、駆動装置を動かすために使用することができるからである。変換器として例えば剛性のあるシリンダピストン装置、可撓性の膜またはベローを備えた閉じたユニットを使用することができる。
制御弁は電気的または機械的に制御可能である。しかし、制御弁がルーズ継手要素を介して変換器に連結されていると有利である。ルーズ継手の長さは、駆動装置の振幅と制御弁の弁ストロークとの差である。この場合、ばねまたは反発する同じ極性の永久磁石極がルーズ継手要素の上死点と下死点で駆動装置の方向の転換を容易にすると有利である。
ルーズ継手要素は簡単な機械式制御装置である。この制御装置の切換え点は、変換器が死点係止装置を備えていることにより固定可能である。死点係止装置としては例えば、変換器の上死点と下死点の位置を明確にし、それによって駆動装置を不連続的に振動させ、上死点と下死点に短時間とどめる係止ばねが役に立つ。
変換器を備えた実施形の場合、ガス室と制御弁の間に、逆止弁を備えた特に等圧の流体貯蔵器が配置されていると有利である。この流体貯蔵器は、駆動装置の膨張相の間圧力を蓄えることができる。この圧力はその後変換器を運転するために使用可能である。流体貯蔵器と逆止弁の組み合わせは空気圧式整流器として作用する。
ガス室と制御弁の間に絞りが設けられていると有利である。この絞りは、システムパラメータに対して手で作用させることあるいは絞りを制御するセンサまたはコンピュータによって作用させることを可能にする。
変換器を駆動するために流体がガス室から排出されるので、この流体容積を連続的に置換しなけれはならない。これは負圧弁を介して駆動装置の低温側で行うことができる。この負圧弁は、周囲よりも低い圧力がガス室内に生じるときに常に開放する。閉じた系を得るために、有利な実施形では、変換器が低圧貯蔵器を介してガス室に接続された流体出口を備えている。
機械が中間接続配置された伝動装置を用いないで駆動装置によって駆動可能であると有利である。その際、駆動装置内に生じる圧力変動は、摩擦や動かされる質量によって生じる損失を回避するために、機械を駆動するために直接使用される。
液圧式または空気圧式駆動は例えば、機械が作動ピストンを備え、この作動ピストンまたは作動ピストン内のガス室に接続された液面がガス室内に設けられていることによって達成される。これにより、特に空気またはウォータポンプがエネルギー的に望ましい状態で駆動され、更に液面が同時に冷却器として役立つ。
有利な実施形では、機械が特に良好に絶縁された第２のガス室を備え、このガス室内に第２の板が可動に配置され、機械が更に、板の各々の側に配置された２個の熱交換器と、第２の再生器を備えている。このような機械は、駆動装置内に発生した圧力変動が第１の再生器の流通を生じることにより、冷凍機として使用可能である。
第２の板は駆動装置の補助駆動装置によって直接動かすことができる。しかし、有利な実施形では、機械が第２の補助駆動装置を備え、この第２の補助駆動装置が駆動装置の補助駆動装置に機械的にまたは空気圧的に連結されている。
課題を解決するための方法の解決策は、駆動装置内で生じる圧力変動によって装置が自動的にスタートするように、本発明による装置を運転することを可能にする。駆動装置と機械の連結解除と、補助駆動装置を動かすために駆動装置から圧力変動の一部を分岐することにより、外部から突き押ししないで高温ガス機械を最初に動かすことができる。この自動始動装置は、駆動エネルギーが供される瞬間に始動するという付加的な利点がある。
方法の有利な実施形では、膨張時にガス室から取り出されたガスが放出され、圧縮時に同じガス量が再び入れられる。それによって、装置の運転中、水域を通気することができる。この水域は多くの用途の場合、同時に冷却のために役立つ水域である。
膨張相の間ほとんどの力が供されるので、膨張時にのみ機械が駆動されると有利である。圧縮相の間は、この相での駆動装置の負荷を軽減するために、駆動装置に作用する全部の力が除去される。
マック・マーホン・ギフォードプロセスが理論的に最適なプロセス経過を示すことが知られている。しかし、従来の装置ではこのプロセス経過は一度も達成できなかった。公知の装置は、２つの等温の状態変化と２つの等容の状態変化のスターリングプロセスに従って作動する。しかし、調整された方法経過では、Ｐ−Ｖ線図で２つの等容線と２つの等圧線を有するサイクルが生じるように、機械に作用する力が定められ、およびまたは弁が制御される。
低温を生じるために、有利な方法では、板の運動によってガス室内に発生する圧力変動が、可動の第２の板を内蔵する特に良好に絶縁されたガス室と、それぞれ板の一方の側に配置された２個の熱交換器とに供給され、２個の熱交換器内に第２の再生器によって熱と低温が生じる。この冷凍機は実質的に駆動装置のように構成され、従って駆動装置の上記の有利な実施形は冷凍機にも当てはまる。
第２の板が第１の板に対して位相がずれるよう動かされると有利である。それによって、慣性力が相殺され、装置の同期性が高まる。
類似の装置の場合には板がほとんど並進運動するが、本発明による装置では、板が回転運動または傾動振動することができる。ガス室内での回転運動は加速力を減少し、特に重い板の場合に有利であり、傾動振動は複数の駆動装置を同時に使用する際あるいは上記の冷凍機を運転するために有利である。この駆動装置は、ストロークの度に同じ力が発生し、駆動される機械の同期性に影響を与えるという特有の利点がある。
複数の実施の形態が図に示してある。次に、この実施の形態について詳しく説明する。
図１は手動式補助駆動装置と、板上に設けられた再生器とを備えた装置を示す図、
図２は外部に設けられた再生器を備えた図１の装置の一部を概略的に示す図、
図３はＶ字状の板を備えた装置の一部を概略的に示す図、
図４は放射線を集束する装置の一部を概略的に示す図、
図５は光起電力で制御される制御弁を備えた装置を概略的に示す図、
図６はルーズ継手要素を備えた装置を概略的に示す図、
図７は冷凍機と補助駆動装置の固定連結部材を備えた装置を概略的に示す図、
図８は冷凍機と補助駆動装置の可撓性連結部材を備えた装置を概略的に示す図、
図９はマック・マーホン・ギフォード（Mac Mahon Gifford）プロセスによるＰ−Ｖ線図である。
図１に示した装置１は駆動装置２を備えている。この駆動装置は直方体状のガス室３を備えている。このガス室内で、ガスを通過させる板４が上下に移動可能である。板４は加熱器５として作用する黒い表面を備えている。というのは、直方体状のガス室３の表面６が光を通すからである。ガス室３の下側７には冷却器８が設けられている。この冷却器はその上面に、垂直なウェブからなるプロフィル（成形部）９を備えている。このプロフィルは板４の凹部からなる対応するプロフィル10と協働する。プロフィル10と板の上面の間には再生器11が設けられている。板４が動くときにガスがこの再生器を通過可能であり、熱を一時的に貯蔵可能である。更に、ガス室３は穴12を備えている。機械13を駆動するために、この穴を経て圧力変動を機械13に伝達可能である。本実施の形態の場合には補助駆動装置14がてこ棒15によって形成されている。このてこ棒は支承部材16に載せられ、てこ棒によって板４が上下に移動可能である。
装置１の運転の際、板４はてこ棒15を介して上下に動く。板４がガスを通過させるので、この上下動によって圧力の変動は発生しない。しかし、板４がその下方位置にあると、板４の黒い上面で熱に変換される放射線がガス室３内のガスを暖め、正圧を発生する。
これに対して、板４が上方へ移動すると、ガスは板４の下方にあり、冷却器８によって冷却される。その際、負圧が発生する。
板の持ち上げの際にガスが板４を通過するときに、ガスの熱は再生器11によって吸収され、板を下降させる際に熱は再生器11から再びガスに放出される。更に、板４と冷却器８のプロフィル9,10が互いに係合する際、乱流が発生し、この乱流は冷却器８からガスへの熱の伝達を促進する。
それによって、補助駆動装置14を介して板４だけが上下に動き一方、熱力学的プロセスによって補助駆動装置14の何倍ものエネルギーが圧力変動エネルギーとして発生する。
図２は駆動装置２の他の実施の形態２′を示している。この実施の形態の場合には、再生器11′はガス室３′の外側に配置されている。この場合、板４′はガスが通過可能であり、軽量でそして断熱性があり、板４′を下降させる際ガスは下側の穴を通って再生器11′に押され、そして上側の穴を通ってガス室３′に戻り、そして板４′を持ち上げる際他の方向に押される。この場合、板４′の速度が小さく、再生器11′のガス通過能力が大きいので、板４′はガス室３′に対してシールする必要がない。
更に、図２の駆動装置２′では、冷却器８として水面17が設けられ、そして板の下面18は水で湿らすことが可能な、冷却器として作用する面を形成している。
図３は駆動装置の他の実施の形態を示している。この場合、Ｖ字状の板４″が設けられている。この板はその中央に傾動支承部材19を備えている。それによって、板４″は傾動可能であり、一方の板側20はガス室3a″の上面にあり、他方の板側21はこれとは逆に他のガス室3b″の下側にある。それによって常に一方の側でガスが冷却され、他方の側でガスが加熱される。これは機械13の一様な運転を可能にする。
図４には、回転可能な偏心的な放物面鏡部分22と、内部を鏡面化された可動の漏斗23とを備えたガス室３の加熱が示してある。その際、ガス室は、その中心軸線24が北極星の方へ向くように取付けられている。完全な放物面の偏心的な部分である放物面鏡は、例えばドイツ連邦共和国特許出願公開第3344195号公報に記載されているように、極地軸の回りに15゜/hの連続的な角速度で回転する。しかし、本実施の形態の場合には、比較的に小さなコンセントレーション（集中度）しか必要としないので、ガス室３の上側縁部に漏斗23が設けられている。
図５は、板４を上下に動かすための他の補助駆動装置14′を示している。この補助駆動装置14′は第１の逆止弁26を経て中間貯蔵器（一時貯蔵器）27に通じる管路25を備えている。他の管路28が第２の逆止弁29と絞り30を経て制御弁31に案内されている。この制御弁は光起電力プレート（光電池）32を介して駆動されて連続的に往復運動可能である。制御弁の他方の側には、２本の管路33,34が設けられている。この管路はそれぞれ、ピストンシリンダユニット35の各々の側に案内されている。ピストンシリンダユニット35はピストン36を備えている。このピストンは板４を動かす。ガス室から管路25を経てガスが取り出されるので、圧縮相でガスを吸引するために、ガス室３はその下側に揚弁（呼吸弁）37を備えている。
駆動装置14′を運転する際、膨張相の間、少量のガス流がガス室３から取り出され、貯蔵器26に供給される。そこで発生する正圧は絞られ、制御弁を経てピストンシリンダユニット35の各々の側に交互に供給される。それによって、ピストンシリンダユニットは板４を上下に動かす。
図６には代替的な他の駆動装置14″が示してある。この駆動装置の場合、駆動される機械13′は冷凍機である。この冷凍機の構造は図５に示した駆動装置とほぼ同じである。この場合しかし、ピストンシリンダユニット35′のピストン36′はルーズ継手要素38と死点係止装置39を介して制御弁31′に連結されている。更に、ピストン36′の延長部は第２の板40を支持している。この板は第２の再生器41と共に第２のガス室44内において２個の熱交換器42,43の間で往復運動可能である。
それによって、両板4,40は補助駆動装置14′だけによって互いに同期してかつ位相をずらして移動し、ピストンの移動によって制御が行われる。
図示していない変形例では、接続部45,46または45′,46′が低圧貯蔵器を介して揚弁37または37′に接続されている。それによって、閉鎖系が形成される。
図７は本発明による装置の変形例を示している。この変形例の場合には、駆動装置２が接続管路47を介して冷凍機13″に接続されている。駆動装置２の補助駆動装置48は天秤49を介して冷凍機13″の板40′に連結されている。この場合、補助駆動装置48には駆動装置２から圧縮空気が供給される。この圧縮空気は制御弁40を備えた等圧貯蔵器内に流れ、補助駆動装置48のピストン36の上側と下側を交互に付勢する。
天秤49は駆動装置２と機械13″とを固定連結する。この駆動装置と機械のピストンは固定された位相ずれによって相対的に移動可能である。
図８は駆動装置２と冷凍機13″の間のフレキシブルな連結を示している。この駆動装置２と冷凍機13″は同様に、接続管路47を介して互いに連結され、それぞれ固有の補助駆動装置51または52を備えている。この装置は制御弁を有する等圧貯蔵器を備えている。この等圧貯蔵器は補助駆動装置51内のピストン36を圧縮空気によって交互に付勢する。しかしながら、圧縮空気の一部は移相器53に流れる。この移相器は冷凍機13″の補助駆動装置52に圧縮空気を供給する。
補助駆動装置51,52の使用は移相器53と関連して、互いに位相を任意にずらして補助駆動装置を運転し、装置の運転中にも位相のずれを変更することを可能にする。
図１に示すような本発明による装置１の運転時に、板はその自重により下死点にあり、ガス室３内において板の上に、例えば空気のようなガスがある。このガスは放射エネルギーによって温められる。この放射エネルギーは透明な上面６を通って板４の黒色の上面に当たり、そこで熱に変換される。それによって、ガスが膨張し、穴12を経て機械13を押す。
続いて、板４は支承部材16に載っているてこ棒15を介して上方へ動かされる。その際、ガスは板内にある再生器11を通って板４の下側に流れ、そこで冷却される。冷却された状態でガスの容積が小さくなり、従って負圧が穴12を経て機械13に作用する。この負圧は機械を運転するために正圧と交互に使用される。大型の装置の場合にも、板を非常に容易に上下に動かすことができるが、このような装置によって、手動では駆動できない大型の機械を駆動するために、大きな圧力変動を得ることができる。
図２のガス室３′を使用する場合、ガスは板４′によって押されて再生器11′を通過する。この場合、再生器はガス室３′の外側に設けられている。
図３の装置を運転する場合、Ｖ字状の板21は傾動軸受19を介して往復運動し、その際板の一方の側に正圧を発生し、他方の側に負圧を発生する。それによって生じた圧縮空気変動は、負荷下にある機械を定常的に運転するために特に適している。
図４の装置を運転する場合、放物面鏡部分22は１時間に15゜だけその垂直な軸線24回りに回転する。それによって、多量の太陽光線をガス室３の上面に集中させることができる。
図５の装置は自動スタートする。なぜなら、ガスの膨張時に発生する正圧の一部が板を動かすために使用されるからである。そのために、膨張相の間、すなわちガス室３の下側範囲に板があるときに、正圧の一部が中間貯蔵器27に案内される。この正圧は、往復運動する制御弁31を経て圧縮空気をピストン36の上側と下側に交互に供給することによって使用尽くされる。このピストン36は板４に連結され、板を上下に交互に動かす。
充分な太陽光線がある限り、一方ではガス室３内のガスが暖められ、中間貯蔵器27に充満し、他方では制御弁31を往復運動させるために、光起電力プレート32が充分な電流を供給する。
板を動かすために必要な圧縮容器はガス室から取り出され、圧縮相において揚弁37を経て板の低温側に再び入る。
一方では、板４の重量はできるだけ小さく保たれる。他方では、板の重量は図示装置内でほとんど一定の力特性曲線を有するばね54を介して受け止められる。
駆動される機械に応じて、膨張時にガス室３内で発生する正圧だけを、機械の駆動に使用することができる。
機械に作用する力と、弁31の制御装置は、図９に示したＰ−Ｖ線図のサイクルが生じるように調節される。このサイクルは２つの等容線55,56と２つの等圧線57,58を有する。
図６の装置を運転する場合、制御弁は図５のように電気的ではなく機械的に動かされ、更に第２の板40は板４と同期して動く。それによって、低温を生じることができる。というのは、両板が互いに固定連結されているからである。
図7,8に示した装置の機能は設備の説明と上述から明らかである。
【図１】
0003614861.tif 000002
【図２】
0003614861.tif 000003
【図３】
0003614861.tif 000004
【図４】
0003614861.tif 000005
【図５】
0003614861.tif 000006
【図７】
0003614861.tif 000007
【図６】
0003614861.tif 000008
【図８】
0003614861.tif 000009
【図９】
0003614861.tif 000010